(57)【要約】【課題】弾球遊技機において、内レール１とガラス板との隙間からの不正具の侵入を防止すること。【解決手段】弾球遊技機の装着してガラス枠を閉じるとガラス板が延出部１７の先端部を押圧して弾性変形させる。ゴム状の弾性を有する延出部１７がガラス板に当接して弾性変形し、延出部１７によって内レール１とガラス板との隙間が閉塞される。しかも、延出部１７はテーパ状をなしており、硬質板１１を挟んで遊技領域とは反対側に張り出している。このため、樹脂フィルムやピアノ線等の不正具を硬質板１１の上端１１ａとガラス板との間に侵入させようと図っても（矢印ａ）、延出部１７が「返し」となって矢印ｂで示す方向に不正具を曲げたり移動させたりして遊技領域への侵入を阻む。【選択図】  図３
2008093011.tif 000002
【特許請求の範囲】
【請求項１】
弾球遊技機の遊技盤面に円弧状に配設されて内周面にて遊技領域を画定する内レールにおいて、
硬質樹脂製又は金属製で片面が前記内周面となる硬質板と、
前記硬質板の外周面に積層された積層部及び前記積層部の上端部から延出されて先端を前記硬質板の上端よりも前記遊技盤面から離れた位置に至らせる延出部が設けられた軟質樹脂部材と
を備えることを特徴とする内レール。
【請求項２】
前記硬質板は硬質樹脂製であり、
前記硬質板と前記軟質樹脂部材とは二重成形によって一体化されている
ことを特徴とする請求項１記載の内レール。
【請求項３】
前記延出部は、前記積層部側が小径、先端側が大径の円錐台の側面に略沿ったテーパ状をなしている
ことを特徴とする請求項１又は２記載の内レール。
【請求項４】
請求項１、２又は３記載の内レールが装着された弾球遊技機の遊技盤。
【発明の詳細な説明】
【技術分野】
【０００１】
本発明は、弾球遊技機の遊技盤の技術分野に属する。
【背景技術】
【０００２】
パチンコ機等の弾球遊技機では、遊技領域に侵入させた樹脂フィルムやピアノ線等で遊技球を入賞口に導く不正行為が行われることがある。その際に、内レールと遊技盤の前方（遊技者側）に配される透明板（普通はガラス板）との隙間が樹脂フィルムやピアノ線等を遊技領域に侵入させる経路として利用される。
【０００３】
なお、内レールは板金製又は硬質樹脂製とされていたため、これを上記のガラス板と密接させて、上述の不正行為を防止するのは困難であった。
【特許文献１】特開２００５−２７０１１９号公報
【発明の開示】
【発明が解決しようとする課題】
【０００４】
本発明は、内レールと透明板との隙間を閉塞して、この隙間を利用しての不正行為を防止することを目的としている。
【課題を解決するための手段】
【０００５】
請求項１記載の内レールは、
弾球遊技機の遊技盤面に円弧状に配設されて内周面にて遊技領域を画定する内レールにおいて、
硬質樹脂製又は金属製で片面が前記内周面となる硬質板と、
前記硬質板の外周面に積層された積層部及び前記積層部の上端部から延出されて先端を前記硬質板の上端よりも前記遊技盤面から離れた位置に至らせる延出部が設けられた軟質樹脂部材と
を備えることを特徴とする。
【０００６】
周知のように、パチンコ機等の弾球遊技機では、遊技盤面に円弧状の外レールと内レールとを遊技盤面に配設するのが普通である。
外レールは、発射装置から打ち出された遊技球を誘導する役割と、遊技領域（全部ではない）を画定する役割がある。
【０００７】
内レールは、その内周面にて遊技領域（全部ではない）の外縁を規定しており、遊技領域を画定する役割を負っている。また、内レールの一部は外レールに並置されており、この部分では内レールの外周面と外レールとの間に遊技球の通路が形成され、上述の外レールによって誘導される遊技球がここを通過する。
【０００８】
内レールの内周面は遊技領域を画定するので、遊技領域を移動する遊技球が接触する。この内周面を形成する部材は、接触した遊技球の勢いを殺ぐような材質では不適当であり、本発明では、硬質樹脂製又は金属製で片面が内周面となる硬質板を採用している。硬質樹脂としては、ＡＢＳ、ＰＣ、ＡＳ、ＰＳ、ＰＰ、ＰＥ、ＰＯＭなどが例示される。また、金属（板金）としては、めっき鋼板、ステンレス、真鍮、アルミニウム等が例示される。
【０００９】
その硬質板の外周面には、軟質樹脂部材の積層部が積層されている。
軟質樹脂部材はゴム状の弾性を有する合成樹脂製の部材であり、例えば軟質ゴム状のエラストマー（オレフィン系、スチレン系、ナイロン系、塩ビ系など）が用いられる。
【００１０】
積層部（軟質樹脂部材）は硬質板の外周面に密着状に積層され、硬質板に支えられるから、その形状は安定する。
その積層部の上端部からは延出部が延出されており、延出部の先端は硬質板の上端よりも遊技盤面から離れた位置に至っている。なお、硬質板の上端とは、遊技盤面に平行状の端であり、帯状の硬質板において幅を規定する２辺の内の遊技盤から遠い方である。積層部の上端部も同様である。
【００１１】
ゴム状の弾性を有する延出部の先端が、硬質板の上端よりも遊技盤面から離れた位置に至っているので、この先端を、遊技盤の前方（遊技者側）に配される透明板（ガラス板）に当接しうる位置に設定すれば、延出部によって内レールと透明板との隙間が閉塞される。従って、この隙間を利用しての不正行為を防止することができる。
【００１２】
積層部（軟質樹脂部材）を硬質板の外周面に密着状に積層する方法に限定はなく、例えば接着してもよい。
但し、請求項２記載のように、前記硬質板は硬質樹脂製であり、前記硬質板と前記軟質樹脂部材とは二重成形によって一体化されている構成にすると、硬質板及び軟質樹脂部材の成形と積層が一工程になるので、両者を別々に製造して接着等で積層するよりも製造工程を単純化でき、量産性も向上する。
【００１３】
延出部は、単に積層部（硬質板）の延長方向に沿って、つまり遊技盤面に垂直な方向に延出されているだけでもよいが、請求項３記載のように、前記延出部は、前記積層部側が小径、先端側が大径の円錐台の側面に略沿ったテーパ状をなしている構成にすれば、延出部が遊技領域とは反対側に張り出すので、これが「返し」となって樹脂フィルムやピアノ線等の侵入を阻む。よって、請求項１による不正防止の効果が向上する。
【００１４】
請求項４記載の遊技盤は、請求項１、２又は３記載の内レールが装着された弾球遊技機の遊技盤であるから、上述の通りの作用効果を有する。
【発明を実施するための最良の形態】
【００１５】
次に、本発明の実施例等により発明の実施の形態を説明する。なお、本発明は下記の実施例等に限定されるものではなく、本発明の要旨を逸脱しない範囲でさまざまに実施できることは言うまでもない。
［実施例］
図１及び図２に示すように、本実施例の内レール１は、略半円弧状であり、最下部に設けられたアウト球案内部２によって左部３と右部４とに区分される。
【００１６】
内レール１は、その内周面１ａにて遊技領域（全部ではない）の外縁を規定しており、遊技領域を画定する役割を負っている。周知であるが、遊技領域は内レールのみにて画定されるのではなく、左部３の外側に（図１（ａ）において左側から上方にかけて）配される外レール（周知であるから、図示及び説明は省略）や遊技盤に取り付けられた装飾部材等によって画定される。
【００１７】
また、左部３は、外レールとの間に遊技球の通路を形成し、発射装置から打ち出されて外レールによって誘導される遊技球がこの通路を通過する。そして、左部３の先端部には、外レールによって誘導されて遊技領域に打ち出された遊技球が上記の通路へ戻るのを防止するための戻り防止片６が取り付けられている。
【００１８】
図１（ｃ）に拡大して示すように、内レール１は硬質樹脂部材８と、これに接合された軟質樹脂部材９とで構成されている。硬質樹脂部材８は硬質樹脂製（本実施例ではＡＢＳ製）であり、軟質樹脂部材９はゴム状の弾性を有する合成樹脂製（本実施例ではスチレン系エラストマー）である。
【００１９】
硬質樹脂部材８は、図１（ｃ）に良好に示されるとおり、硬質板１１と基部１２とを備えており、硬質板１１の内側の面が上述の内周面１ａとなっている。基部１２からは、固定ピン１３及び位置決めピン１４が延出されている。固定ピン１３は、これを遊技盤に設けられた嵌合穴に嵌着させて内レール１を遊技盤に固定するためピンであり、位置決めピン１４は、遊技盤に設けられた嵌合穴に嵌合させて内レール１の円弧形状を維持するためのピンである。また、戻り防止片６が取り付けられる戻り防止片保持部１５も硬質樹脂部材８の一部である。
【００２０】
軟質樹脂部材９は、図１（ｃ）に良好に示されるとおり、硬質板１１の外周面に積層された積層部１６と、積層部１６の上端部１６ａから斜めに延出された延出部１７とからなる。延出部１７は積層部１６側が小径、先端側が大径の円錐台の側面に略沿ったテーパ状をなしている。なお、内レール１は数学的な意味では正しい円弧ではないから、延出部１７も正確な円錐台の側面に沿っているわけではない。
【００２１】
なお、本実施例の内レール１では、硬質樹脂部材８と軟質樹脂部材９とを二重成形することで、積層部１６（軟質樹脂部材９）を硬質板１１の外周面に密着状に積層してある。二重成形技術は公知であるから、詳細説明は省略する。
【００２２】
アウト球案内部２は、内レール１が取り付けられた遊技盤を装備した弾球遊技機（例えばパチンコ機）の使用状態において、内レール１の内周面１ａに沿って落下してきた遊技球が集合する位置にあり、そうした遊技球をアウト穴へと誘導するためのアウト開口２１が設けられている。従って、入賞口に入球しなかった遊技球はアウト開口２１を通過してアウト球となる。
【００２３】
この内レール１が取り付けられた遊技盤を弾球遊技機に装着してガラス枠を閉じると、図３に示すように、ガラス板（透明板）が延出部１７の先端部を押圧して、これを図示のように弾性変形させる。なお、ガラス板は硬質板１１の上端１１ａには接触しない。つまり、硬質板１１の遊技盤面からの立ち上がり高さ及び延出部１７の先端の位置は、弾球遊技機の機種に応じて、上記の関係になるように設定される。
【００２４】
ゴム状の弾性を有する延出部１７の先端が、硬質板１１の上端１１ａよりも遊技盤面から離れた位置に至っており、延出部１７がガラス板に当接して弾性変形し、延出部１７によって内レール１とガラス板との隙間が閉塞される。しかも、延出部１７は、上述したように円錐台の側面に略沿ったテーパ状をなしており、延出部１７が硬質板１１を挟んで遊技領域とは反対側に張り出している。
【００２５】
このため、樹脂フィルムやピアノ線等の不正具を硬質板１１の上端１１ａとガラス板との間に侵入させようと図っても（例えば矢印ａで示す方向に移動させても）、延出部１７が「返し」となって例えば矢印ｂで示す方向に樹脂フィルムやピアノ線等の不正具を曲げたり移動させたりして、不正具の遊技領域への侵入を阻む。よって、このような不正具による不正防止にきわめて有効である。
【００２６】
また、本実施例の内レール１では、硬質樹脂部材８と軟質樹脂部材９とを二重成形することで、積層部１６（軟質樹脂部材９）を硬質板１１の外周面に密着状に積層してあり、硬質樹脂部材８及び軟質樹脂部材９の成形と積層が一工程になるので、両者を別々に製造して接着等で積層するよりも製造工程を単純化でき、量産性も向上する。
【図面の簡単な説明】
【００２７】
【図１】実施例の内レールの正面図（ａ）、平面図（ｂ）、Ｂ−Ｂ端面図（ｃ）、Ａ−Ａ断面図（ｄ）。
【図２】実施例の内レールの右側面図。
【図３】実施例の内レールの使用状態説明図。
【符号の説明】
【００２８】
１・・・内レール、
１ａ・・・内周面、
８・・・硬質樹脂部材、
９・・・軟質樹脂部材、
１１・・・硬質板、
１１ａ・・・上端、
１６・・・積層部、
１６ａ・・・上端部、
１７・・・延出部。
【図１】
2008093011.tif 000003
【図２】
2008093011.tif 000004
【図３】
2008093011.tif 000005